(57)【要約】【課題】  マイクが側面に配置されていても、前方からの音は鮮明に収録でき後方からの音は収録されにくい撮像装置を提供する。【解決手段】  撮像部（１）とマイク部（５）とを備え、マイク部（５）を側面（１ｂ）に配置すると共に、マイク部（５）よりも後方に前方からの音を側面（１ｂ）に向けて反射する反射手段（７，１５，１６）を設けた。また、撮像部（１）及び側面（１ｂ）に配置したマイク部（５）を備えたカメラ部（５０２Ｂ）と、カメラ部（５０２Ｂ）を、光軸（ＣＬ１）に直交する軸（ＣＬ３）回りに回動可能に支持する本体部（５０２Ａ）とを備え、本体部（５０２Ａ）に、カメラ部（５０２Ｂ）の回動により露出し前方からの音（Ｓ）を側面（１ｂ）に向けて反射する反射手段（１４）を設けた。【選択図】      図２
2006041990.tif 000002
【特許請求の範囲】
【請求項１】
前方の被写体を撮像する撮像部とマイク部とを備え、
前記マイク部を側面に配置すると共に、前記マイク部よりも後方に前記前方からの音を前記側面に向けて反射する反射手段を設けて成ることを特徴とする撮像装置。
【請求項２】
前方の被写体を撮像する撮像部および側面に配置したマイク部を備えたカメラ部と、前記カメラ部を光軸に直交する軸回りに回動可能に支持する本体部と、を備える一方、
前記本体部に、前記カメラ部の回動により露出し前記前方からの音を前記側面に向けて反射する反射手段を設けて成ることを特徴とする撮像装置。
【発明の詳細な説明】
【技術分野】
【０００１】
本発明は、撮像装置に係り、特に、内蔵マイクを用いてより明瞭に外部の音を収録可能にする構造に関する。
【背景技術】
【０００２】
静止画あるいは動画と音声とを収録可能な撮像装置として、ビデオカメラ，デジタルスチルカメラ、携帯端末等がある。
この撮像装置の従来例として、特許文献１の図１５に記載されたビデオカメラ（以下、カメラＡと称する）がある。
このカメラＡは、光軸方向に長手を有する略箱状であり、液晶表示部やレンズ部等を有し、本体の前面にステレオ収録が可能なマイクを備えてなるものである。
【０００３】
近年、ビデオカメラの形態として、カメラＡに代表されるような光軸方向に長手を有する所謂横型という形態に加え、ユーザからの小型化，軽量化あるいは可搬性能向上等の要求に応えるべく開発された、光軸に直交する上下方向に長手を有する所謂縦型という形態がある。
その縦型の例として、同じく特許文献１の図１，図７に記載されたビデオカメラ（以下、それぞれカメラＢ１，Ｂ７と称する）がある。
このカメラＢ１，Ｂ７は、光軸に直交する上下方向に長手を有する略箱状であり、液晶表示部やレンズ部等を有し、本体の天面にステレオ収録が可能なマイクを備えてなるものである。
そして、カメラＢ１は、マイクを天面の前方側に備えており、カメラＢ７は、天面の中央やや後方側に備えている。
【０００４】
カメラＡの場合、内部部品のレイアウトを工夫することで本体前面にマイクが配置されている。しかしながら、小型化のために内部の高密度化が進むと、カメラＢ１，Ｂ７のように、本体前面にマイクを配置することが難しくなり、天面に配置するのが一般的になっている。
また、従来の横型カメラにおいても、小型化に伴い、マイクの前面配置が難しく、天面に配置するビデオカメラが主流となってきている。
【特許文献１】特開２００４−７２１４号公報
【発明の開示】
【発明が解決しようとする課題】
【０００５】
マイクが撮像装置の前面に配置されている場合、他の面に配置されている場合よりも、被写体の発する音や撮影画面に対応した音を最も鮮明に収録できるのは当然である。
また、この前面という位置は、撮影者から最も遠い位置であり、また、被写体と反対の方向にマイクが向いていることから、撮影時に収録したくない撮影者側の雑音が最も収録されにくい位置であり、マイクの配置位置として好ましい。
【０００６】
しかしながら、上述したような、マイクが側面に配置された撮像装置においては、被写体の方向である前方の音を鮮明に収録することが困難である。
また、後方の撮影者側の雑音、例えば、撮影者の声、息づかい等も収録され易くなっている。
従って、本来必要な、撮影画面に対応した音の情報が収録しにくく、逆に本来不要な周囲の雑音が比較的収録され易くなっているという問題があった。
【０００７】
一方、記録部を有する撮像装置に用いられる記録媒体は、従来の磁気テープからメモリーカード，小径の光ディスクあるいはカードタイプのＨＤＤ（ハードディスクドライブ）等、ますます小型になってきている。
これに伴い、撮像装置自体も更に小型化されるので、マイクの位置も前面以外の側面に配置せざるを得ない状況である。
このような、マイクが前面ではなく側面に配置された構成において、撮影画面に対応した音を収録するために、如何に前方の音を明瞭に録音し、後方の撮影者側の雑音を排除するかが課題となっている。
【０００８】
そこで、本発明が解決すべき課題は、マイクが側面に配置されていても、前方の音を明瞭に収録でき、後方の撮影者側の音は収録されにくい撮像装置を提供することにある。
【課題を解決するための手段】
【０００９】
上記の課題を解決するために、本願発明は手段として次の構成を有する。
即ち、請求項１に係る発明は、前方の被写体を撮像する撮像部（１）とマイク部（５）とを備え、前記マイク部（５）を側面（１ｂ）に配置すると共に、前記マイク部（５）よりも後方に前記前方からの音を前記側面（１ｂ）に向けて反射する反射手段（７，１５，１６）を設けて成ることを特徴とする撮像装置（５０１，５０３，５０４）である。
また、請求項２に係る発明は、前方の被写体を撮像する撮像部（１）および側面（１ｂ）に配置したマイク部（５）を備えたカメラ部（５０２Ｂ）と、前記カメラ部（５０２Ｂ）を、光軸（ＣＬ１）に直交する軸（ＣＬ３）回りに回動可能に支持する本体部（５０２Ａ）とを備える一方、前記本体部（５０２Ａ）に、前記カメラ部（５０２Ｂ）の回動により露出し前記前方からの音（Ｓ）を前記側面（１ｂ）に向けて反射する反射手段（１４）を設けて成ることを特徴とする撮像装置（５０２）である。
【発明の効果】
【００１０】
本発明によれば、前方からの音は明瞭に収録でき、後方からの音は収録されにくく、撮影画面に対応した音の収録が可能になる、という効果を奏する。
【発明を実施するための最良の形態】
【００１１】
本発明の実施の形態を、好ましい実施例により図１〜図８を用いて説明する。
図１は、本発明の撮像装置の実施例１を示す斜視図である。
図２は、本発明の撮像装置の実施例２を示す斜視図である。
図３は、本発明の撮像装置の実施例３を示す斜視図である。
図４は、本発明の撮像装置の実施例３を説明する模式的平面図である。
図５は、本発明の撮像装置の実施例４を示す斜視図である。
図６は、本発明の撮像装置の実施例を説明する斜視図である。
図７は、本発明の撮像装置の実施例におけるリフレクタを説明する図である。
図８は、本発明の撮像装置の実施例２における変形例を示す斜視図である。
【実施例１】
【００１２】
実施例１について図１を用いて説明する。
実施例１の撮像装置５０１は、上述した横型の略箱状のビデオカメラであり、光軸ＣＬ１を有して前面１ａに設けられたレンズ部（撮像部）１と、ヒンジ６によりＤ１方向の開閉および回動軸ＣＬ２回りの回動Ｄ２が可能とされた液晶素子による画像表示部２と、このカメラ５０１を撮影者１０Ａが手１０で把持するためのグリップ部３（図の反対側）と記録媒体（メモリーカード）（図示せず）を装着するスロット部４とを備えている。また、内部にはレンズ部１からの画像情報を記録媒体に記録するための記録信号処理部（図示せず）を備えている。
【００１３】
また、側面の一つである天面１ｂには、ステレオでの収録が可能な一対のマイク５Ｌ，５Ｒ（以下、マイク５と称する場合がある）の開口部５ａが設けられている。この開口部５ａは、金属または樹脂を素材とし多数の細孔を有して形成されている。外部の音は、この細孔を通して内部に配置されたマイクユニット５ｂに到達し、記録媒体に記録される。
【００１４】
また、天面１ｂのマイク５の後方側（撮影者１０Ａ側）には、ヒンジ９により本体に対して開閉して起立するリフレクタ７が設けられている。
このヒンジ９は、リフレクタ７を本体に対して任意の角度θで起立保持できるように構成されている。このθの角度範囲は０°〜９０°である。
このリフレクタ７は、閉じた際に、天面１ｂに設けられた凹部であるリフレクタ収納部８に収納される。この収納により天面１ｂはほぼフラットな面となる。
【００１５】
この構成のビデオカメラ５０１において、リフレクタ７を所望の角度θで起立保持させておけば、前方からの音Ｓの一部は、リフレクタ７の内側の面７ａに反射してマイク５に到達する。
そのため、マイク５において、前方から直接マイク５に到達した音と、リフレクタ７で反射して後方からマイク５に到達した音との両方を収録することができる。
従って、収録する音は、十分な音量が得られてＳ／Ｎ比がよく、撮影画面に対応した被写体側の音を他の方向の音より大きく明瞭に収録することができる。
【００１６】
一方、後方（撮影者１０Ａ側）からの雑音Ｎ等は、リフレクタ７が遮音壁となり、その外面７ｂにおいてカメラ５０１から遠ざかる方向に反射し、マイク５にはほとんど届かない。
従って、カメラ前方からの音はより明瞭に、また、カメラ後方の撮影者１０Ａ側からの雑音を効果的に排除して集音することができる。
【００１７】
リフレクタ７の内面７ａは、音を適度に拡散して反射させるようシボ（梨地）面として形成されている。
従って、起立角度θが厳密に調整されていなくても、リフレクタ７で反射した音は十分マイク５に到達する。
内蔵されるマイクユニット５ｂの指向性は、無指向性、または、前後方向に感度を高くした双指向性とするのが望ましい。この指向性にすることで、前方からの直接音と、リフレクタ７で反射した後方からの反射音との双方を効率よく捉えることができる。
【実施例２】
【００１８】
実施例２について図２（ａ），（ｂ）を用いて説明する。
図２（ａ）に示すように、実施例２の撮像装置５０２は、実施例１と同じく横型の略箱状のビデオカメラであり、略Ｌ字形の本体部５０２Ａと、この本体部５０２Ａに対して、回動軸ＣＬ３回りの所定角度範囲で回動可能なカメラ部５０２Ｂと、により構成されている。
【００１９】
本体部５０２Ａには、このカメラ５０２を把持するためのグリップ部３と、後面に設けられた液晶素子を用いた画像表示部２とを備えている。
グリップ部３の一部にはＤ３方向に開閉可能なカバー１１が設けられている。
このカバー１１を開けると（破線の状態）、記録媒体（図示せず）を装着するスロット部４を臨むことができる。このビデオカメラ５０２で用いる記録媒体は、ハードディスクドライブを内蔵したカートリッジ状の記録媒体であり、例えばマイクロドライブ（商標）である。
【００２０】
カメラ部５０２Ｂは、光軸ＣＬ１を有して前面１ａに設けられたレンズ部１と、側面に設けられた操作ボタン１２とを備えている。また、レンズ部１からの画像情報を記録媒体に記録するための記録信号処理部（図示せず）を備えている。
【００２１】
また、側面の一つである天面１ｂには、ステレオでの収録が可能な一対のマイク５Ｌ，５Ｒ（以下、マイク５と称する場合がある）の開口部５ａが設けられている。
この開口部５ａは、金属または樹脂を素材とし多数の細孔を有して形成されている。
外部からの音は、この細孔を通して内部に配置された一対のマイクユニット５ｂに到達し、記録媒体に記録される。
【００２２】
また、カメラ部５０２Ｂの後端面１３Ｂと、この後端面１３Ｂに対向する本体部５０２Ａの対向面１３Ａとは、互いに所定の隙間ｄを有しながら相対的に回動するように、それぞれ同心の曲率ｒ２，ｒ１を有する曲面で形成されている。
【００２３】
このような構成において、カメラ部５０２Ｂを、そのレンズ部１が本体部５０２Ａに対して上向きになるように角度βだけ回動させ、撮影者１０Ａの手１０で把持した状態を図２（ｂ）に示す。
ビデオカメラ５０２は、この状態で本体部５０２Ａの対向面１３Ａの一部１３Ａ１がカメラ部５０２Ｂに対してその上方側に露出している。この露出部１３Ａ１が前方からの音を反射するリフレクタ１４として機能する。
即ち、前方からの音Ｓの一部が、リフレクタ１４の内面１４ａ（露出部１３Ａ１）に反射しマイク５に到達する。
そのため、マイク５において、前方から直接マイク５に到達した音とリフレクタ７で反射し後方からマイク５に到達した反射音との両方を集音することができる。
従って、十分な音量が得られＳ／Ｎ比がよく、撮影画面に対応した被写体側の音を他の方向の音より大きく明瞭に収録することができる
【００２４】
一方、後方（撮影者１０Ａ側）からの雑音Ｎ等は、リフレクタ１４が遮音壁となり、その外面１４ｂにおいてカメラ５０２から遠ざかる方向に反射し、マイク５にはほとんど届かない。
従って、カメラ前方からの音はより明瞭に、また、カメラ後方の撮影者側からの雑音を効果的に排除して収録することができる。
【００２５】
リフレクタ１４の内面１４ａは、音を適度に拡散させるようシボ（梨地）面として形成されている。
従って、曲率ｒ２が厳密に設定されなくても、リフレクタ１４で反射した音は十分マイク５に到達する。
【００２６】
内蔵されるマイクユニット５ｂの指向性は、無指向性、または、前後方向に感度を高くした双指向性とするのが望ましい。この指向性にすることで、前方からの直接音と、リフレクタ１４で反射した後方からの反射音との双方を効率よく捉えることができる。
【００２７】
この実施例２のリフレクタ１４は、レンズ部５０２Ｂを本体部５０２Ａに対して回動することで出現（露出）させ、所定の位置に回動して戻すことで無くす（レンズ部５０２Ｂで隠す）ことができるものである。
また、回動角度により、その対向面１３Ａの露出部１３Ａ１の面積を変化させることができる。
即ち、回動角度βが大きいほどリフレクタ１４の面積が大きくなり、より前方からの音を他方からの音に比べて大きく、明瞭に収録することができる。
従って、回動角度βを任意に設定し、前方からの音と他方からの音とのバランスが所望のバランスとなるように撮影（録音）することができる。
【００２８】
この実施例は、カメラ部５０２Ｂに撮像部１とマイク５との両方を備えたものであり、さらに、このカメラ部５０２Ｂに、映像及び音声信号処理回路も格納すれば以下のメリットがある。
即ち、カメラ部５０２Ｂの撮像部１で収録した画像情報やマイク５で収録した音声情報を、記録媒体への記録のために本体部５０２Ａに長い信号線で送出する際に、ノイズが混入し易いアナログ信号ではなく、デジデジタル画像信号及び音声情報を多重化したシリアルデジタル信号として信号処理回路から送出することができるので、ノイズのない高品位な信号を記録することができる。
【実施例３】
【００２９】
実施例３について図３を用いて説明する。
実施例３の撮像装置５０３は、上述した縦型の略箱状のビデオカメラであり、光軸ＣＬ１を有して前面１ａに設けられたレンズ部１と、ヒンジ６によりＤ１方向の開閉および回動軸ＣＬ２回りの回動Ｄ２が可能とされた液晶素子を用いた画像表示部２と、このカメラ５０３を撮影者１０Ａが手１０で把持するためのグリップ部３（図の反対側）と記録媒体（メモリーカード）（図示せず）を装着するスロット部４とを備えている。
また、内部にはレンズ部１からの画像情報を記録媒体に記録するための記録信号処理部（図示せず）を備えている。
【００３０】
また、側面の一つである天面１ｂには、ステレオでの収録が可能な一対のマイク５Ｌ，５Ｒ（以下、マイク５と称する場合がある）の開口部５ａが設けられている。この開口部５ａは、金属または樹脂を素材とし多数の細孔を有して形成されている。外部の音は、この細孔を通して内部に配置された一対のマイクユニット５ｂに到達し、記録媒体に記録される。
【００３１】
また、天面１ｂのマイク５の後方側（撮影者１０Ａ側）に、ヒンジ９により本体に対して開閉し起立可能な一対のリフレクタ１５Ｌ，１５Ｒ（以下、リフレクタ１５と称する場合がある）が設けられている。
この一対のリフレクタ１５Ｌ，１５Ｒは、天面の中心線ＣＬ４をはさんで左右それぞれに独立して起立可能となっている。
また、起立した際に、リフレクタ１５Ｌ，１５Ｒは、中心線ＣＬ４側の端部が最も前方寄りにあり、中心線ＣＬ４から離れるに従って後方側に向かう弓状に形成されている。
【００３２】
このヒンジ９は、リフレクタ１５Ｌ，１５Ｒを本体に対してそれぞれ独立して任意の角度θＬ，θＲ（以下、角度θと称する場合がある）で保持できるように構成されている。このθＬ，θＲの角度範囲は０°〜９０°である。
このリフレクタ１５Ｌ，１５Ｒは、天面１ｂに設けられた凹部である一対のリフレクタ収納部８Ｌ，８Ｒにそれぞれ収納される。この収納により、天面１ｂはほぼフラットな面となる。
【００３３】
この構成のビデオカメラ５０３において、リフレクタ１５を所望の角度θで起立保持させておけば、前方からの音Ｓの一部は、リフレクタ１５の内側の面１５ａに反射してマイク５に到達する。
また、上述したように、各リフレクタ１５Ｌ，１５Ｒは、真正面に向かうように起立しているのではなく、それぞれがやや左右に開いた方向に向かうように弓状に起立しているので、真正面からの音Ｓｆだけでなく、左右方向に偏った位置からの音ＳＲ，ＳＬを反射してマイク５に誘導することができる（図４参照）。
そのため、マイク５において、前方から直接マイク５に到達した音と、リフレクタ１５で反射して後方からマイク５に到達した音との両方を集音することができる。
従って、収録する音は、十分な音量が得られてＳ／Ｎ比がよく、撮影画面に対応した被写体側の音を他の方向の音より大きく明瞭に収録することができる。
また、左方向からの音が確実に左マイク５Ｌに反射誘導され、右方向からの音が確実に右マイク５Ｒに反射誘導されるので、天面１ｂに配置された各マイク５Ｌ，５Ｒの配置間隔が狭いものであっても、音像が十分に広がった極めて良好なステレオ感が得られる。
【００３４】
一方、後方（撮影者１０Ａ側）からの雑音Ｎ等は、リフレクタ１５が遮音壁となり、その外面１５ｂにおいてカメラ５０３から遠ざかる方向に反射し、マイク５にはほとんど届かない。
従って、カメラ前方からの音はより鮮明に、また、カメラ後方の撮影者１０Ａ側からの雑音を効果的に排除して収録することができる。
【００３５】
リフレクタ７の内面１５ａは、音を適度に拡散させるようシボ（梨地）面として形成されている。
従って、起立角度θは、厳密に調整されなくても、リフレクタ１５で反射した音は十分マイク５に到達する。
【００３６】
内蔵されるマイクユニット５ｂの指向性は、無指向性、または、前後方向に感度を高くした双指向性とするのが望ましい。この指向性にすることで、前方からの直接音と、リフレクタ１５で反射した後方からの反射音の双方を効率よく捉えることができる。
【実施例４】
【００３７】
実施例４について図５を用いて説明する。図５（ａ）は、リフレクタ１６を閉じた状態を示し、（ｂ）は開けて起立させた状態を示している。
この撮像装置５０４はビデオカメラであり、その天面１ｂにヒンジ９により開閉し任意の角度で起立保持されるリフレクタ１６を備えている。
また、このリフレクタ１６を閉じた際に、そのリフレクタ１６を収納する凹部である収納部８が形成されている。この収納により、天面１ｂはほぼフラットな面となる。収納部８の底面８ａには、一対のマイク５Ｌ，５Ｒが配置されている。
【００３８】
一方、リフレクタ１６には、多数の細かい貫通孔である通音孔１６ａが形成されている。
この構成によれば、リフレクタ１６を閉じた状態でも、外部からの音は通音孔１６ａを通過してマイク５Ｌ，５Ｒに到達するので、その音を収録することができる。
【００３９】
また、通音孔１６ａは、リフレクタ１６の内面１６ａが音の反射に十分な反射面積を有する程度に設けられている。
そのため、リフレクタ１６を任意角度で起立させれば、前方からの音Ｓは、リフレクタ１６の内面１６ａで反射してマイク５に到達し、このマイク５において、前方から直接マイク５に到達した音と、リフレクタ７で反射してマイク５に到達した音との両方を集音することができる。
従って、前方からの音は大きな音量が得られてＳ／Ｎ比がよく、また、撮影画面に対応した被写体側からの音を他の方向からの音より大きく収録することができる。
【００４０】
一方、後方からの雑音Ｎ等は、リフレクタ１６が遮音壁となり、その外面１６ｂの通音孔１６ａ以外の部分においてカメラ５０４から遠ざかる方向に反射する。
そのため、マイク５に届く後方からの雑音等の音量は十分に低減される。
従って、カメラ前方の音はより明瞭に、また、カメラ後方の撮影者側からの雑音は十分抑制して録音することができる。
【００４１】
この実施例では、収納部８内にマイク５を配置したので、カメラの天面１ｂにおける収納部８とマイク５との占有面積が低減される。
従って、カメラ５０４の光軸ＣＬ１方向の長さを大幅に短縮することができる。
【００４２】
上述した各実施例において、ビデオカメラの天面１ａにスピーカ等の発音源１７が設けられている場合には、この発音源１７が発した音Ｓｐはリフレクタ７の内面７ａに反射し前方に放射する（図６参照）。
これにより、録画（録音）開始あるいは終了時のピッ音を、被写体側に効率よく伝達することができる。
また、このビデオカメラでの再生時に、画像表示部２を前方の視聴者１８から視認可能なアングルにし、リフレクタ７を起立させれば、再生画像２ａと共に十分な音量での音Ｓｐを、前方からモニタリングすることができる。
【００４３】
上述した各実施例は、前方からの音をマイクに反射誘導するリフレクタを、収録時には本体から起立あるいは出現（露出）させるようにし、非収録時には本体に収納して突出することがないように構成している。従って、扱いが容易で可搬性と収納性に極めて優れている。
また、このリフレクタ７，１４，１５は、前面以外の側面にマイク５を備えた撮像装置において、そのマイク５よりも後方に設けられ、リフレクタ７，１４，１５，１６の内面（音の反射面）７ａ，１４ａ，１５Ｌａ，１５Ｒａ，１６ａで、前方（被写体側）からの音Ｓをマイクが備えられた側面に向かって反射するように構成されているものである（図７参照）。この場合の側面は、天面に限らず、左右の側面や底面を含むものである。
ステレオ収録の場合は、マイクは天面または底面に配置するのが好ましい。左右側面にそれぞれ配置する場合は、それぞれのマイクに対応したリフレクタを各側面毎に設ければよい。
【００４４】
本発明の実施例は、上述した構成及び手順に限定されるものではなく、本発明の要旨を逸脱しない範囲において変形例としてもよいのは言うまでもない。
【００４５】
実施例１のリフレクタ７の内面７ａは平面でなくてもよい。凸面状の曲面にすることで、真正面からの音だけでなく左右に広がった位置からの音をマイクに反射誘導することができる。これは、より広い範囲の音を収録したい場合に好適である。逆に凹面状の曲面（パラボラ面を含む）にすることで、真正面からの音を集中して反射誘導することができる。これは正面の音の感度をより高めたい場合に好適である。
実施例２のビデオカメラの変形例を図８に示す。図８（ａ）は、カメラ部５０２Ｂの回動軸を本体部５０２Ａで両持ち支持した形態である。図８（ｂ）は、カメラ部５０２Ｂが略矩形のカメラ全体の一隅部をし、実施例２のように回動軸を片持ち支持した形態である。
いずれにおいても、カメラ部５０２Ｂの天面１ｂにマイク５を備え、このカメラ部５０２Ｂを回動した際に、リフレクタ１４となる部分が出現し、このリフレクタ１４により前方からの音を天面１ｂに向けて反射する構成となっており、実施例２と同様の効果を得ることができる。
上述した各実施例やその変形例は、自由に組み合わせた構成にしてもよいことは言うまでもない。
【００４６】
また、リフレクタを起立させる構造は特に限定されるものではなく、手で開けたり、バネやモータ等を用いて自動的に起立させたりする等、周知の方法を適用することが可能である。
【００４７】
音を反射するリフレクタの内面は、梨地でなくてもよい。また、収録する音の周波数特性を調整するために、特定の周波数を吸収する素材を反射面に貼付して等してもよい。
【００４８】
また、反射面を撮像装置の本体とは別のパーツとして交換可能とし、表面形状（平面、凸面、凹面、パラボラ状面等），表面処理（鏡状，梨地状，縞状等）あるいは材質の異なるパーツを適宜選択して装着可能としてもよい。
【００４９】
上述した実施例はビデオカメラであり、動画あるいは静止画と音声とを収録できるものであるが、記録部を備えてなくても、レンズ部やマイクで取り込んだ（収録した）画像情報や音声情報を外部に対して送信する機能を備えた携帯電話や携帯端末等にも適用することができる。
【図面の簡単な説明】
【００５０】
【図１】本発明のビデオカメラの実施例１を示す斜視図である。
【図２】本発明のビデオカメラの実施例２を示す斜視図である。
【図３】本発明のビデオカメラの実施例３を示す斜視図である。
【図４】本発明のビデオカメラの実施例３を説明する模式的平面図である。
【図５】本発明のビデオカメラの実施例４を示す斜視図である。
【図６】本発明のビデオカメラの実施例を説明する斜視図である。
【図７】本発明のビデオカメラの実施例におけるリフレクタを説明する図である。
【図８】本発明の撮像装置の実施例２における変形例を示す斜視図である。
【符号の説明】
【００５１】
１  レンズ部（撮像部）
１ａ  前面
１ｂ  天面
２  液晶表示部（画像表示部）
３  グリップ部
４  スロット部
５（５Ｌ，５Ｒ）  マイク
５ａ  開口部
６  （液晶表示部の）ヒンジ
７  リフレクタ
７ａ  内面
７ｂ  外面
８  （リフレクタ）収納部
８ａ  底面
９  （リフレクタの）ヒンジ
１０  手（指）
１０Ａ  撮影者
１３Ａ  対向面
１３Ａ１  露出部
１４  リフレクタ
１４ａ  内面
１４ｂ  外面
１５（１５Ｌ，１５Ｒ）  リフレクタ
１６  リフレクタ
１６ａ  通音孔
１６ｂ  外面
１７  発音源（スピーカ）
１８  被写体，視聴者
５０１，５０２，５０３，５０４  ビデオカメラ
５０２Ａ  本体部
５０２Ｂ  レンズ部
ＣＬ１  光軸
ＣＬ２，ＣＬ３  回動軸
ＣＬ４  中心線
Ｓ  （前方からの）音
Ｎ  （後方からの）音
θ  起立角度
β  回動角度
【図１】
2006041990.tif 000003
【図２】
2006041990.tif 000004
【図３】
2006041990.tif 000005
【図４】
2006041990.tif 000006
【図５】
2006041990.tif 000007
【図６】
2006041990.tif 000008
【図７】
2006041990.tif 000009
【図８】
2006041990.tif 000010